(57)【要約】【課題】小型・軽量で信頼性が高く、しかも、事故発生時の設備全体における復旧の迅速性を向上させた真空絶縁スイッチギヤを提供する。【解決手段】接地金属板でそれぞれ区画された開閉器区画部１ｂ、母線区画部１ａ、ケーブル区画部１ｃ、及び制御区画部１ｄを有する筺体１と、前記開閉器区画部１ｂ内に設置された開閉器と、前記母線区画部１ａに設置された母線３と、前記開閉器と接続され前記ケーブル区画部１ｃ内に設置されたケーブル７とを備え、他の盤と列盤構成された真空絶縁スイッチギヤにおいて、前記各盤における前記母線区画部１ａ内の各母線接続部に設けられ、前記各母線３を接離可能とする接続部材４と、盤が故障した際に、当該故障盤に隣接する健全な盤同士の前記接続部材４，４に接離可能に接続する母線復旧部材１０とを備えた。【選択図】図８
2010178559.tif 000002
【特許請求の範囲】
【請求項１】
接地金属板でそれぞれ区画された開閉器区画部、母線区画部、ケーブル区画部、及び制御区画部を有する筺体と、前記開閉器区画部内に設置された開閉器と、前記母線区画部に設置された母線と、前記開閉器と接続され前記ケーブル区画部内に設置されたケーブルとを備え、他の盤と列盤構成された真空絶縁スイッチギヤにおいて、
前記各盤における前記母線区画部内の各母線接続部に設けられ、前記各母線を接離可能とする接続部材と、
盤が故障した際に、当該故障盤に隣接する健全な盤同士の前記接続部材に接離可能に接続する母線復旧部材とを備えた
ことを特徴とする真空絶縁スイッチギヤ。
【請求項２】
請求項１に記載の真空絶縁スイッチギヤにおいて、
前記母線復旧部材は、可撓性のケーブル本体と前記ケーブル本体の両端に設けられたケーブルアダプタとで構成されている
ことを特徴とする真空絶縁スイッチギヤ。
【請求項３】
請求項１または２に記載の真空絶縁スイッチギヤにおいて、
前記母線復旧部材は、内部導体の周囲が固体絶縁材で覆われている
ことを特徴とする真空絶縁スイッチギヤ。
【請求項４】
請求項１乃至３のいずれか１項に記載の真空絶縁スイッチギヤにおいて、
前記母線復旧部材は、前記列盤の長手方向両端の盤間が接続可能な長さに形成した
ことを特徴とする真空絶縁スイッチギヤ。
【請求項５】
請求項１乃至４のいずれか１項に記載の真空絶縁スイッチギヤにおいて、
前記母線は固体絶縁母線である
ことを特徴とする真空絶縁スイッチギヤ。
【請求項６】
請求項１記載の真空絶縁スイッチギヤにおいて、
遮断及び断路機能を有する開閉器部と前記開閉器部と接続された母線とを有する気中絶縁スイッチギヤを更に備え、
前記母線復旧部材と一端で接続された母線接続部材の他端が、前記気中絶縁スイッチギヤの母線に接続する
ことを特徴とする真空絶縁スイッチギヤ。
【請求項７】
請求項６記載の真空絶縁スイッチギヤにおいて、
前記母線接続部材の他端は、前記気中絶縁スイッチギヤの裸母線導体と接続導体を介して接続される
ことを特徴とする真空絶縁スイッチギヤ。
【請求項８】
請求項６又は７に記載の真空絶縁スイッチギヤにおいて、
前記母線接続部材の他端には、絶縁物から構成されるヒダ状構造を内部導体の外周に有する気中絶縁端末が設けられている
ことを特徴とする真空絶縁スイッチギヤ。
【発明の詳細な説明】
【技術分野】
【０００１】
本発明は、真空絶縁スイッチギヤに係り、特に、受変電設備に使用され、小型・軽量で信頼性が高く、しかも、事故発生時の設備全体における復旧の迅速性を向上させた真空絶縁スイッチギヤに関するものである。
【背景技術】
【０００２】
近年の受変電設備では、需用者の要求が多様化している。例えば、その使用目的により、負荷の種類、運転条件が異なるので、要求される安全性、信頼性、運転保全及び将来の負荷の増加を考慮して配電系統を計画するが、この配電系統計画において、受変電設備を構成する遮断器、断路器、接地開閉器等の制御及び受変電設備の電圧、電流、電力等の監視計測に関しても、配慮しなければならない。
【０００３】
この場合、遮断器、断路器、接地開閉器等の機器と、その制御機器、及び監視計測機器の設置空間を如何に小さくして、その設置のための投資を抑えることができるかが、需用者に対する重要な技術的課題となっている。また、この技術的課題に加えて、機器の一部が万一故障した際の現地における故障部の除去、交換等の復旧作業の容易性や、電源復旧を含む復旧作業の迅速性も重要な技術的課題となっている。
【０００４】
これらの課題を解決するために、遮断断路機能を有する真空２点切り３位置型の開閉器を備えると共に、この開閉器と操作器が配置された開閉器区画部を筐体に対して分離可能なユニットとし、このユニット化した開閉器区画部を、母線区画部内の母線と選択的に接離可能であり、かつ筐体内に移動可能に設けた真空絶縁スイッチギヤが提案されている（例えば、特許文献１参照。）。
【先行技術文献】
【特許文献】
【０００５】
【特許文献１】特開２００８−２４５４０９号公報
【発明の概要】
【発明が解決しようとする課題】
【０００６】
例えば、上述した真空絶縁スイッチギヤを列盤構成した受変電設備であれば、外部の負荷に電源を供給する一の盤で事故が発生した場合であっても、復旧作業として、事故盤の開閉器区画部を予め保管していた開閉器区画部と交換することで完了する。したがって、短い停電時間で受変電設備全体の電源の復旧が可能になる。
【０００７】
しかしながら、例えば、需用者が上述した予備の開閉器区画部を保管していない場合や、保管していたとしても事故盤の故障部位が母線に及ぶ場合には、上述した真空絶縁スイッチギヤであっても、受変電設備全体の短時間での電源復旧は難しいと考えられる。列盤構成の受変電設備においては、各盤の母線が隣接盤と接続されているため、一の盤における故障部位を健全な他の盤から絶縁するためには、事故盤に隣接する他の盤の母線部での作業が必要となるためである。
【０００８】
このような、受変電設備全体の電源を復旧するのに際して、事故盤に隣接する他の盤の母線部での作業が必要な場合であっても、短い停電時間で復旧可能な真空絶縁スイッチギヤが要求されている。
【０００９】
本発明は、上述の事項に基づいてなされたもので、その目的は、小型・軽量で信頼性が高く、しかも、事故発生時の設備全体における復旧の迅速性を向上させた真空絶縁スイッチギヤを提供することにある。
【課題を解決するための手段】
【００１０】
（１）上記目的を達成するために、本発明は、接地金属板でそれぞれ区画された開閉器区画部、母線区画部、ケーブル区画部、及び制御区画部を有する筺体と、前記開閉器区画部内に設置された開閉器と、前記母線区画部に設置された母線と、前記開閉器と接続され前記ケーブル区画部内に設置されたケーブルとを備え、他の盤と列盤構成された真空絶縁スイッチギヤにおいて、前記各盤における前記母線区画部内の各母線接続部に設けられ、前記各母線を接離可能とする接続部材と、盤が故障した際に、当該故障盤に隣接する健全な盤同士の前記接続部材に接離可能に接続する母線復旧部材とを備えたものとする。
【００１１】
（２）上記（１）において、好ましくは、前記母線復旧部材は、可撓性のケーブル本体と前記ケーブル本体の両端に設けられたケーブルアダプタとで構成されているものとする。
【００１２】
（３）上記（１）または（２）において、好ましくは、前記母線復旧部材は、内部導体の周囲が固体絶縁材で覆われているものとする。
【００１３】
（４）上記（１）乃至（３）のいずれかにおいて、好ましくは、前記母線復旧部材は、前記列盤の長手方向両端の盤間が接続可能な長さに形成したものとする。
【００１４】
（５）上記（１）乃至（４）のいずれかにおいて、好ましくは、前記母線は固体絶縁母線であるものとする。
【００１５】
（６）上記（１）において、好ましくは、遮断及び断路機能を有する開閉器部と前記開閉器部と接続された母線とを有する気中絶縁スイッチギヤを更に備え、前記母線復旧部材と一端で接続された母線接続部材の他端が、前記気中絶縁スイッチギヤの母線に接続するものとする。
【００１６】
（７）上記（６）において、好ましくは、前記母線接続部材の他端は、前記気中絶縁スイッチギヤの裸母線導体と接続導体を介して接続されるものとする。
【００１７】
（８）上記（６）または（７）において、好ましくは、前記母線接続部材の他端には、絶縁物から構成されるヒダ状構造を内部導体の外周に有する気中絶縁端末が設けられているものとする。
【発明の効果】
【００１８】
本発明の真空絶縁スイッチギヤによれば、事故盤に接続されていた母線を除去し、事故盤の両隣の盤間を固体絶縁された母線復旧部材である復旧用ケーブルで接続可能としたので、小型・軽量で信頼性が高く、しかも、事故発生時の設備全体における復旧の迅速性を向上させた真空絶縁スイッチギヤを提供することができる。
【図面の簡単な説明】
【００１９】
【図１】本発明の真空絶縁スイッチギヤの一実施の形態の側面図である。
【図２】図１に示す本発明の真空絶縁スイッチギヤの一実施の形態の縦断正面図である。
【図３】図１に示す本発明の真空絶縁スイッチギヤの一実施の形態の斜視図である。
【図４】本発明の真空絶縁スイッチギヤの一実施の形態をフィーダ盤として適用した受変電設備の電気回路図である。
【図５】本発明の真空絶縁スイッチギヤの一実施の形態をフィーダ盤として適用した受変電設備の事故復旧作業を説明する電気回路図である。
【図６】図５に示す受変電設備の事故復旧作業を説明する斜視図である。
【図７】本発明の真空絶縁スイッチギヤの一実施の形態を構成する復旧用ケーブルの接続状態を示す一部横断面図である。
【図８】図５に示す受変電設備の事故復旧の状態を示す斜視図である。
【図９】図５に示す受変電設備の事故復旧の状態を示す平面図である。
【図１０】本発明の真空絶縁スイッチギヤの他の実施の形態における気中絶縁スイッチギヤとの接続配置例を示す斜視図である。
【図１１】本発明の真空絶縁スイッチギヤの他の実施の形態を構成する復旧用ケーブルの接続状態を示す一部横断面図である。
【発明を実施するための形態】
【００２０】
以下、本発明の真空絶縁スイッチギヤの一実施の形態を図面を用いて説明する。  
図１乃至図３は、本発明の真空絶縁スイッチギヤの一実施の形態を示すもので、図１は本発明の真空絶縁スイッチギヤの一実施の形態の側面図、図２は図１に示す本発明の真空絶縁スイッチギヤの一実施の形態の縦断正面図、図３は図１に示す本発明の真空絶縁スイッチギヤの一実施の形態の斜視図である。
【００２１】
図１乃至図３において、真空絶縁スイッチギヤの筐体１は、内部に配置された複数の接地金属板により母線区画部１ａ、開閉器区画部１ｂ、ケーブル区画部１ｃ、及び制御区画部１ｄにそれぞれ区画されている。また、筐体１の前面側（図１の右側）には、片開き可能な正面扉１ｅが、筐体１の背面側（図１の右側）には、上側背面扉１ｆ、下側背面扉１ｇがそれぞれ設けられている。
【００２２】
母線区画部１ａは、筐体１の奥行き方向（図１の左右方向）中央部寄りで上部側に配置され、開閉器区画部１ｂは母線区画部１ａの下方に、ケーブル区画部１ｃは筐体１の背面側（図１の左側）にそれぞれ配置されている。また、制御区画部１ｄは正面扉１ｅの背面上側に配置され、母線区画部１ａに対向する位置にある。
【００２３】
ケーブル区画部１ｃの上部と母線区画部１ａとの境界部には、図３に示すように母線室仕切り板２が設けられている。母線区画部１ａ内には、３相の固体絶縁された母線３が接続部材としての接続アダプタ４を介して筐体１の前面と平行（図１において、紙面と直交する方向）に配置されている。つまり、母線３は、隣接する盤との盤間に敷設され、その一端を当該盤の接続アダプタ４に接続し、他端を隣接する盤の接続アダプタ４に接続している。なお、母線３は、固体絶縁物で絶縁することによりガスレス化されており、ガス管理が不要となることから取り扱い性が良くなると共に、母線区画部内に粉塵や異物の混入があっても、絶縁性が維持されるので安全性が確保されている。
【００２４】
接続アダプタ４は、当該盤の両隣に他の盤が配置されている場合には、両隣の盤から延伸される母線３，３の一端を水平方向の開口部で接続するＴ字型の接続アダプタ４が用いられ、当該盤の片側にのみ他の盤が配置されている場合には、他の盤から延伸される母線３の一端を水平方向の開口部で接続する逆Ｌ字型の接続アダプタ４が用いられている。接続アダプタ４の下部内部には円錐状の窪みが形成され、後述する開閉器区画部１ｂの接続ブッシングを嵌挿することによって、開閉器等と電気的に接離可能となる。また、接続アダプタ４の上部には、内部の導体部を覆う円錐状の図示しない絶縁栓と、この絶縁栓の上部を覆う絶縁キャップ４ａとを備えている。絶縁キャップ４ａと絶縁栓を取り外すことにより、接続部として接続アダプタ４の内部の円錐状の窪みに、後述する復旧用ケーブルのケーブルアダプタを嵌挿することができる。
【００２５】
開閉器区画部１ｂには、この例では真空２点切り３位置型開閉器（真空２点切り３位置型遮断断路器）、接地開閉器、及び操作装置を枠体に組み付けたユニット構成となっている。
【００２６】
ケーブル区画部１ｃには、上記真空２点切り３位置型開閉器（真空２点切り３位置型遮断断路器）の固定接点に接続し、ケーブル区画部１ｃ内に導入されたケーブル接続用端子５と、このケーブル接続用端子５に回転可能に設けたＴ型ケーブルヘッド６と、このＴ型ケーブルヘッド６を回転することによって上部又は下部に配置され、ケーブル接続用端子５に接続されるケーブル７と、ケーブル接続用端子５の外周に設けられた系統保護用の変流器８とが配設されている。本実施の形態において、ケーブル７は、筐体１の下部からケーブル区画部１ｃに導入されている。
【００２７】
制御区画部１ｄは、左右の各側部を塞ぐ複数の側板９と正面扉１ｅとから構成されていて、例えば、保護リレー等を備えた制御装置が設置されている。
【００２８】
開閉器区画部１ｂは、本実施の形態では真空２点切り３位置型開閉器（真空２点切り３位置型遮断断路器）、接地開閉器、及び操作装置を、枠体に組み付けたユニット構成となっていることを述べたが、開閉器区画部１ｂ内に配置された真空２点切り３位置型開閉器、接地開閉器は、エポキシ樹脂によって一体的にモールドされている。これにより、開閉器部がユニット化され小形軽量化が図られている。前述したモールドの外表面は、塗布された導電塗料によって接地され、接触の安全性を確保されている。
【００２９】
上述した真空２点切り３位置型開閉器は、絶縁筒を備える真空容器と、この真空容器内にそれぞれ収納された２つの固定電極と、それらの可動電極とを備えており、２点切りを構成している。この例では、固定電極が上側に、この固定接点に接離する可動電極が下側に位置するように配置されている。
【００３０】
開閉器における一方の固定電極は、母線区画部１ａ内に導入可能に配置した接続ブッシングと接続アダプタ４とを介して母線区画部１ａ内の母線３に接離可能に接続されている。また、開閉器における一方の固定電極は、ケーブル区画部１ｃ内に導入可能に配置した接続ブッシングを介してケーブル区画部１ｃ内のケーブル７のＴ型ケーブルヘッド６に接離可能に接続されている。
【００３１】
図４は、上述した本発明の真空絶縁スイッチギヤの一実施の形態をフィーダ盤として適用し、４面の列盤で構成した受変電設備の電気回路図である。図４において、この受変電設備は、図面一番左側の外部から電源を受電する受電盤、その右側からそれぞれの外部の負荷に電源を供給するフィーダ盤（１）、フィーダ盤（２）、及びフィーダ盤（３）とから構成されている。また、受電盤とフィーダ盤（１）とは、母線３ａ（ＢＵＳ１）、フィーダ盤（１）とフィーダ盤（２）とは母線３ｂ（ＢＵＳ２）、フィーダ盤（２）とフィーダ盤（３）とは母線３ｃ（ＢＵＳ３）でそれぞれの盤間を接続している。
【００３２】
次に、上述した本発明の真空絶縁スイッチギヤの一実施の形態をフィーダ盤として適用した受変電設備における、事故時の復旧動作を、図５乃至図８を用いて説明する。図５は本発明の真空絶縁スイッチギヤの一実施の形態をフィーダ盤として適用した受変電設備の事故復旧作業を説明する電気回路図、図６は図５に示す受変電設備の事故復旧作業を説明する斜視図、図７は本発明の真空絶縁スイッチギヤの一実施の形態を構成する復旧用ケーブルの接続状態を示す一部横断面図、図８は図５に示す受変電設備の事故復旧の状態を示す斜視図、図９は図５に示す受変電設備の事故復旧の状態を示す平面図である。図５乃至図９において、図１乃至図４に示す符号と同符号のものは同一部分であるので、その詳細な説明は省略する。
【００３３】
図５においては、フィーダ盤（２）の内部で故障部位が母線３に及ぶ事故の発生を想定している。受変電設備の迅速な復旧のために、フィーダ盤（１）及び（３）の外部負荷への電源供給の復旧を優先し、フィーダ盤（２）の事故部位を短時間で当該列盤から絶縁させることを主な目的としている。このような目的の事故復旧作業としては大略以下の手順で各作業が実施される。
（１）受電盤の遮断器または上位送出し側の遮断器の開放し、受変電設備を停電状態にする。
（２）フィーダ盤（２）に接続されている母線３ｂ（ＢＵＳ２）と母線３ｃ（ＢＵＳ３）とを取外す。
（３）フィーダ盤（２）において、事故部位を取外す。
（４）フィーダ盤（３）の電源として、フィーダ盤（１）の母線３とフィーダ盤（３）の母線３とを母線復旧部材としての復旧用ケーブル１０で接続する。
（５）受電盤の遮断器及び上位送出し側の遮断器を投入して受変電設備を復電し、各外部負荷への電源の供給を開始する。
【００３４】
図６は、上述した手順のうち（４）の具体的復旧手順を説明するものであって、図５におけるフィーダ盤（１）の斜視図に該当する。  
まず、図６の（ａ）において、フィーダ盤（１）とフィーダ盤（２）とに接続されている母線３ｂ（ＢＵＳ２）を取り外し、フィーダ盤（１）の上側背面扉１ｆと母線室仕切り板２を取り外す。
【００３５】
次に、フィーダ盤（１）の接続アダプタ４の絶縁キャップ４ａを取り外し、絶縁栓を外し、接続アダプタ４の内部の円錐状の窪みに、母線復旧部材としての復旧用ケーブル１０の一端側のケーブルアダプタ１１の凸部を嵌挿する。図６の（ｂ）は、フィーダ盤（１）の接続アダプタ４に復旧用ケーブル１０の一端側のケーブルアダプタ１１が嵌挿された状態を現している。つまり、固体絶縁された母線３ａ（ＢＵＳ１）の延伸方向と交差する方向に復旧用ケーブル１０が伸びており、復旧用ケーブル１０の一端にＴ型ケーブルヘッドからなるケーブルアダプタ１１が接続され、このケーブルアダプタ１１と共に復旧用ケーブル１０が内部導体を中心にして水平面内において回転可能になっている。
【００３６】
ここで、復旧用ケーブル１０は、内部導体を例えばより線状の銅線にして可撓性を持たせ、その周囲を例えばシリコンゴムのような絶縁性ゴムで覆い、かつ絶縁性ゴムの周囲を設置電位の導電性ゴムで覆って構成されている。また、本実施の形態における復旧用ケーブル１０は両端に上述したケーブルアダプタ１１を備えると共に、列盤構成した受変電設備の長手方向両端の盤間が接続できる長さに形成されている。
【００３７】
次に、フィーダ盤（３）の上側背面扉１ｆと母線室仕切り板２を取り外し、フィーダ盤（３）の接続アダプタ４の絶縁キャップ４ａを取り外し、絶縁栓を外し、接続アダプタ４の内部の円錐状の窪みに、復旧用ケーブル１０の他端側のケーブルアダプタ１１の凸部を嵌挿する。この結果、フィーダ盤（１）とフィーダ盤（３）との母線３の接続が完了する。図７に、フィーダ盤（１）とフィーダ盤（３）における復旧用ケーブル１０と接続アダプタ４との接続状態を一部横断面で示している。図７に示すように、復旧用ケーブル１０の外皮部は、フィーダ盤（３）側のみで例えば筺体に接地線を接続することにより接地され、アダプタ１１，１１は、フィーダ盤（１）、（３）のそれぞれにおいて、復旧用ケーブル１０と同様に接地されている。
【００３８】
図８及び図９は、上述した手順によってなされた受変電設備の事故復旧の状態を示すものであって、図５における受電盤を除いた列盤の状態を現し、図８は斜視図、図９は平面図である。
【００３９】
上述した本発明の真空絶縁スイッチギヤの一実施の形態によれば、事故盤であるフィーダ盤（２）に接続されていた母線３ｂ（ＢＵＳ２），３ｃ（ＢＵＳ３）を除去し、事故盤の両隣であるフィーダ盤（１）とフィーダ盤（３）との盤間を固体絶縁された復旧用ケーブル１０で接続可能としたので、小型・軽量で信頼性が高く、しかも、事故発生時の設備全体における復旧の迅速性を向上させた真空絶縁スイッチギヤを提供することができる。
【００４０】
また、固体絶縁された復旧用ケーブル１０を、列盤構成した受変電設備の長手方向両端の盤間が接続できる長さに形成したので、いかなる盤における事故にも安全に対応することができる。このことにより、復旧作業における事前段取りなどの作業時間を短縮することが可能となり、設備全体における復旧の迅速性を向上することができる。
【００４１】
次に、本発明の真空絶縁スイッチギヤの他の実施の形態を図１０、及び図１１を用いて説明する。図１０は本発明の真空絶縁スイッチギヤの他の実施の形態における気中絶縁スイッチギヤとの接続配置例を示す斜視図、図１１は本発明の真空絶縁スイッチギヤの他の実施の形態を構成する復旧用ケーブルの接続状態を示す一部横断面図である。  
上述した本発明の一実施の形態においては、事故発生時の設備全体における復旧の迅速性を向上させるために、図５におけるフィーダ盤（２）の事故部位を短時間で当該列盤から絶縁させることを主な目的としていたが、本実施の形態においては、さらに、フィーダ盤（２）が供給していた外部負荷への電源供給を短時間で復旧させることを主な目的としている。つまり、真空絶縁スイッチギヤの列盤に予備の盤がなく、この真空絶縁スイッチギヤの列盤の近傍に気中絶縁スイッチギヤが配置されている場合に、この気中絶縁スイッチギヤの予備の盤を使用してフィーダ盤（２）が供給していた外部負荷へ電源を供給するものである。
【００４２】
図１０において、２０は気中絶縁スイッチギヤであり、この気中絶縁スイッチギヤ２０は、盤内部の気中に遮断及び断路機能を有する開閉器部（例えば真空遮断器）が収納され、図示していないが各盤内にそれぞれ収納されている真空遮断器等の開閉器部間が気中絶縁された母線で電気的に接続されて構成されている。一方、２１は真空絶縁スイッチギヤであるフィーダ盤（３）であり、これら両者が併設して隣接配置され、母線復旧部材としての接続ケーブル２２を用いて電気的に接続されて列盤構成されている。
【００４３】
本実施の形態では、真空絶縁スイッチギヤ２１の盤前後方向の寸法が、気中絶縁スイッチギヤ２０の盤前後方向寸法より短く形成されており、これら両者を併設して隣接配置した際には、真空絶縁スイッチギヤ２１の盤後方に空間が生じるので、この空間部分に収納盤２３を配置し、収納盤２３内に上記接続ケーブル２２を収納している。
【００４４】
接続用ケーブル２２は、内部導体を例えばより線状の銅線にして可撓性を持たせ、その周囲を例えばシリコンゴムのような絶縁性ゴムで覆い、かつ絶縁性ゴムの周囲を設置電位の導電性ゴムで覆って構成されている。また、本実施の形態における接続用ケーブル２２は一端に上述したケーブルアダプタ１１と同じＴ型ケーブルヘッド２４を備えると共に、他端は、絶縁物から構成されるヒダ状構造を内部導体の外周に有する気中絶縁端末２５と接続されており、この３相の気中絶縁端末２５のそれぞれの間では、気中において必要な絶縁距離が互いに確保されている。
【００４５】
上述した接続用ケーブル２２の一端側のＴ型ケーブルヘッド２４は、図１１に示すように、例えば、フィーダ盤（３）の接続アダプタ４に嵌挿された復旧用ケーブル１０のケーブルアダプタ１１の上部に接続することができる。この場合、接続アダプタ４の場合と同様に、復旧用ケーブル１０のケーブルアダプタ１１の絶縁キャップを取り外し、内部の絶縁栓を外し、ケーブルアダプタ１１の内部の円錐状の窪みに、接続用ケーブル２２の一端側のＴ型ケーブルヘッド２４の凸部を嵌挿する。一方、接続用ケーブル２２の他端側に接続される気中絶縁端末２５は、接続導体２６を介して、気中絶縁スイッチギヤ２０内部の裸母線導体と接続される。
【００４６】
上述した本発明の真空絶縁スイッチギヤの他の実施の形態によれば、上述した一実施の形態と同様な効果を得ることができるとともに、気中絶縁スイッチギヤ２０との盤間を固体絶縁された接続用ケーブル２２で接続可能としたので、事故盤が電源供給していた外部負荷に対して、迅速に複電することができる。この結果、事故発生時の設備全体における復旧の迅速性を向上させた真空絶縁スイッチギヤを提供することができる。
【００４７】
また、固体絶縁された接続用ケーブル２２の気中絶縁端末２５が絶縁物から構成されるヒダ状部を有することで、気中絶縁スイッチギヤ２０内の裸母線導体と、接地電位である接続用ケーブル２２の導電性ゴムとの間において、絶縁部で構成する絶縁距離がヒダの長さに対応して長くなり、気中絶縁端末２５自体の全長を短くしても、短絡を防止できるようになる。この結果、部品の小型化を図ることができる。
【符号の説明】
【００４８】
１            筺体
２            母線室仕切り板
３            母線
４            接続アダプタ
４ａ          絶縁キャップ
５            端子
６            Ｔ型ケーブルヘッド
７            ケーブル
８            変流器
９            側板
１０          復旧用ケーブル
１１          ケーブルアダプタ
２０          気中絶縁スイッチギヤ
２１          真空絶縁スイッチギヤ
２２          接続用ケーブル
２３          収納盤
２４          Ｔ型ケーブルヘッド
２５          気中絶縁端末
２６          接続導体
【図１】
2010178559.tif 000003
【図２】
2010178559.tif 000004
【図３】
2010178559.tif 000005
【図４】
2010178559.tif 000006
【図５】
2010178559.tif 000007
【図６】
2010178559.tif 000008
【図７】
2010178559.tif 000009
【図８】
2010178559.tif 000010
【図９】
2010178559.tif 000011
【図１０】
2010178559.tif 000012
【図１１】
2010178559.tif 000013